(57)【要約】【課題】  コンクリート注入時の障害を少なくしコンクリートの円滑な流れを保障してコンクリート欠損の発生を回避し、またコンクリート躯体の熱伝導率を低下させて、建物の断熱性を向上させ、さらに作業性を向上とコストダウンを図ることができる。【解決手段】  建築用型枠の間隔保持部材Ａは、線径φが６．９ｍｍ未満の金属製丸棒により構成されて一端部にＬ字状の屈曲部１ｂを有し、他端部に雄ネジ部１ｃを有するＬ型セパレータ１と、その雄ネジ部１ｃにねじ込まれるコーン２とより構成され、屈曲部１ｂが打込型枠１０に固定され、雄ネジ部１ｃが、コーン２を介して型枠仮設材Ｔに固定される。【選択図】    図５
2009041327.tif 000002
【特許請求の範囲】
【請求項１】
コンクリートの打設空間（Ｓ）を存し、相対向して互いに平行に立て込まれる、断熱型枠などの打込型枠（１０）および合板型枠などの仮設型枠（２０）の間隔を一定に保持し、かつコンクリートの打設後は、コンクリート躯体内に埋め込まれる、建築用型枠の間隔保持部材であって、
線径φが６．９ｍｍ未満の金属製丸棒により構成されて一端部にＬ字状の屈曲部（１ｂ）を有し、他端部に雄ネジ部（１ｃ）を有するＬ型セパレータ（１）と、このＬ型セパレータ（１）の雄ネジ部（１ｃ）に螺着されるコーン（２）とを備え、
前記Ｌ型セパレータ（１）は、その屈曲部（１ｂ）が前記打込型枠（１０）に差込み支持され、またその雄ネジ部（１ｃ）が、前記仮設型枠（２０）の外側に配設される型枠仮設材（Ｔ）と前記コーン（２）との間に固定されて前記型枠仮設材（Ｔ）に着脱可能に支持されることを特徴とする、建築用型枠の間隔保持部材。
【請求項２】
Ｌ型セパレータ（１）の屈曲部（１ｂ）の屈曲角は略８５°であることを特徴とする、前記請求項１記載の建築用型枠の間隔保持部材。
【請求項３】
前記型枠仮設材（Ｔ）は、仮設型枠（２０）の外側に組み込まれるＬ型鋼材（３６）を備え、そのＬ型鋼材（３６）によりＬ型セパレータ（１）が支持されることを特徴とする、前記請求項１または２記載の建築用型枠の間隔保持部材。
【発明の詳細な説明】
【技術分野】
【０００１】
本発明は、コンクリートの打設空間を存し、相対向して互いに平行に立て込まれる、打込型枠および仮設型枠の間隔を一定に保持し、かつコンクリートの打設後は、コンクリート躯体内に埋め込まれる、建築用型枠の間隔保持部材に関する。
【背景技術】
【０００２】
従来、コンクリート躯体を有する建築物において、そのコンクリート躯体を成形するために、コンクリート打設空間を存して互いに平行に立て込まれる、内、外側のコンクリート型枠を複数のアッセンブリタイ（間隔保持部材）により一体に結合したものは公知である（特許文献１参照）。
【特許文献１】特開２００４−７６３９６号公報
【発明の開示】
【発明が解決しようとする課題】
【０００３】
ところで、前記内、外のコンクリート型枠の何れか一方の型枠を、断熱型枠などの打込型枠（コンクリート躯体の成型後に解体せずにそのまま残してコンクリート躯体の建材、たとえば、断熱壁として利用）とし、また、他方の型枠を、在来の合板型枠などの仮設型枠（コンクリート躯体の成型後に解体）とする建築用型枠が従来より知られている。このように、片側の型枠を打込型枠とし、他側の型枠を仮設型枠とした場合には、他側の仮設型枠を解体する必要があることから両型枠を一定間隔に固定するアッセンブリタイとしては、Ｌ型セパレータが用いられる。
【０００４】
ところが、汎用品であるＬ型セパレータは、その線径φが６．９５ｍｍであり、この汎用Ｌ型セパレータを、前述の打込型枠と仮設型枠の間隔保持部材として使用すると、線径φ６．９５ｍｍのＬ型セパレータが注入コンクリートの流れを阻害して打設コンクリートの欠損を回避するのが難しくなることに加えて、コンクリート注入の際の障害となり、施行不良の一因になるという問題があり、また、このＬ型セパレータの線径φ６．９５ｍｍは、本来必要とする線径φを超えていることからコスト高を招き、さらに、Ｌ型セパレータを構成する丸形鋼材などの金属材の熱伝導率は、コンクリートのそれよりもはるかに高い（約３０倍）ので、必要以上に線径φの大きいＬ型セパレータを使用すれば、建物の断熱性を低下させる原因になるという問題もある。
【０００５】
本発明は、かかる実情に鑑みてなされたものであり、前記問題を解決できるようにした、新規な建築用型枠の間隔保持部材を提供することを目的とする。
【課題を解決するための手段】
【０００６】
上記目的を達成するために、請求項１記載の発明は、コンクリートの打設空間を存し、相対向して互いに平行に立て込まれる、断熱型枠などの打込型枠および合板型枠などの仮設型枠の間隔を一定に保持し、かつコンクリートの打設後は、コンクリート躯体内に埋め込まれる、建築用型枠の間隔保持部材であって、
線径φが６．９ｍｍ未満の金属製丸棒により構成されて一端部にＬ字状の屈曲部を有し  、他端部に雄ネジ部を有するＬ型セパレータと、このＬ型セパレータの雄ネジ部に螺着されるコーンとを備え、
前記Ｌ型セパレータは、その屈曲部が前記打込型枠に差込み支持され、またその雄ネジ部が前記仮設型枠の外側に配設される型枠仮設材と前記コーンとの間に固定されて前記型枠仮設材に着脱可能に支持されることを特徴としている。
【０００７】
また、上記目的を達成するために、請求項２記載の発明は、前記請求項１記載のものにおいて、Ｌ型セパレータの屈曲部の屈曲角は略８５°であることを特徴としている。
【０００８】
さらに、上記目的を達成するために、請求項３記載の発明は、前記請求項１または２記載のものにおいて、前記型枠仮設材は、仮設型枠の外側に組み込まれるＬ型鋼材を備え、そのＬ型鋼材によりＬ型セパレータが支持されることを特徴としている。
【発明の効果】
【０００９】
本請求項各項の発明によれば、コンクリート注入時の障害を少なくしコンクリートの円滑な流れを保障してコンクリート欠損の発生を回避することができ、また、コンクリート躯体の熱伝導率を低下させて、建物の断熱性を向上させることができ、さらに間隔保持部材を構成するＬ型セパレータは、その軽量化に伴い作業性を向上させることができ、またそのコストダウンを図ることができる。
【００１０】
また本請求項２項の発明によれば、Ｌ型セパレータの屈曲部の打込型枠への差込強度が高められる。
【００１１】
また、請求項３項の発明によれば、型枠仮設材の構造の簡略化と、軽量化が可能になり、作業能率の向上を図ることができる。
【発明を実施するための最良の形態】
【００１２】
以下、本発明の実施の形態を、添付図面に例示した本発明の実施例に基づいて以下に具体的に説明する。
【００１３】
図１〜図５は、本発明の第１実施例を示すもので、図１は、間隔保持部材の分解斜視図、図２は、間隔保持部材の分解断面図、図３は、間隔保持部材の型枠への組み付け途中の状態を示す斜視図、図４は、間隔保持部材の型枠への組み付完了状態の断面図、図５は、図４の５矢視仮想線囲い部分の拡大図である。
【００１４】
図１，２に示すように、間隔保持部材Ａは、Ｌ型セパレータ１とコーン２とより構成される。
【００１５】
Ｌ型セパレータ１は、鋼材などの金属材よりなる線径φ６．９ｍｍ未満、好ましくは５〜６ｍｍ、この実施例では線径φ６ｍｍの丸棒により作られており、直状の本体部１ａと、その本体部１ａの一端よりＬ字状に屈曲される屈曲部１ｂと、前記本体部１ａの他端部の雄ネジ部１ｃとよりなり、屈曲部１ｂの本体部１ａに対する屈曲角は８５°であり、その端部は先鋭に形成されていて、後述する連結バー１５の連結孔１９に差し込み易く、かつ抜けにくくしてある。
【００１６】
前記コーン２は、硬質の合成樹脂材により截頭円錐形に形成されており、その小径側端部に雌ネジ管３が埋設固定され、またその大径側端部に、雄ネジ杆４の基端が埋設固定される。前記雌ネジ管３は、Ｌ型セパレータ１の雄ねじ部１ｃにナット５と共にに螺着され、そのナット５の締め付けによりコーン２はＬ型セパレータ１の雄ねじ部１ｃに固定される。また、雄ネジ杆４には、後述する型枠仮設材Ｔのフォームタイ３０が螺着される。
【００１７】
コンクリート躯体を成形するための建築用型枠Ｍの一方、すなわち打込型枠（コンクリート躯体の成型後、解体せずに断熱建材として利用）としての断熱型枠１０は、図３に示すように、硬質の断熱合成樹脂材により、全体が横長の長方形の板状に形成されており、その上端面には、連結バー１５が、該断熱型枠１０の全長にわたり固定される。
【００１８】
前記断熱型枠１０は、高断熱性であり、しかも軽量であるポリスチレン、ポリウレタンなどの硬質の発泡合成樹脂材により構成されており、その外面および内面は、いずれも平坦面に形成されている。また、断熱型枠１０の上端面および下端面には、その全長にわたりその厚み方向の中間部にスリット１１が形成される。
【００１９】
図３〜５において、前記連結バー１５は、金属板または硬質合成樹脂板により形成され、断熱型枠１０の長手方向の長さと略同じ長さを有しており、平坦な板状に形成される水平部１６と、この水平部１６の一端より上下方向に略直角に対称的に起立形成される上、下差込部１７，１８とを備えて横断面横Ｔ状に形成される。前記水平部１０には、その長手方向に間隔をあけて複数の連結孔１９が穿設されて断熱型枠１０の厚み幅よりも若干幅狭に形成されていて断熱型枠１０が立て込まれるとき、それらの上端面と下端面との間に挟持される。また、前記上、下差込部１７，１８は、それらの先端に鋸歯状の抜止め歯１７ａ，１８ａが一体に形成され、断熱型枠１０のスリット１１，１１に差し込み結合される際に、抜止め歯１７ａ，１８ａはスリット１１，１１に食い込んでその抜け出しが防止される。
【００２０】
また、図３〜５に示すように、建築用型枠Ｍの他方は、仮設型枠で、この実施例では、合板型枠２０（コンクリート躯体の成型後に解体される）が使用される。この合板型枠２０には、後述の型枠仮設材Ｔのフォームタイ３０を挿通するための複数の挿通孔２１が穿設される。
【００２１】
建築用型枠Ｍ、すなわち打込型枠１０および仮設型枠２０を建て込むための型枠仮設材（支保工）Ｔは、コーン２の雄ネジ杆３に螺挿されるフォームタイ３０、単管よりなる縦、横端太材３１，３２、フォームタイ３０にナット３４で固定されるリブ座金３３より構成されている。
【００２２】
図４に示すように、コンクリートの打設空間Ｓを存して互いに平行に立て込まれる打込型枠、すなわち断熱型枠１０と、仮設型枠、すなわち合板型枠２０は複数の、本発明にかかる間隔保持枠部材Ａにより一体に連結される。
【００２３】
断熱型枠１０に間隔保持枠部材Ａを連結するには、図３，４に示すように、断熱型枠１０の上面に予め固定されている連結バー１４の連結穴１９に、その上方からＬ型セパレータ１の屈曲部１ｂを差し込み連結する。
【００２４】
つぎに、図 3〜５を参照して、複数の間隔保持部材Ａを、互いに平行に建て込まれる断熱型枠１０と合板型枠２０との間に、型枠仮設材（支保工）Ｔを用いて固定する手順について説明する。
【００２５】
断熱型枠１０上の連結バー１５の複数の連結孔１９に、間隔保持部材ＡのＬ型セパレータ１の屈曲部１ｂをそれぞれ差し込み連結する。これにより、その屈曲部１ｂは、断熱型枠１０に固定される。また、間隔保持部材Ａの他端のコーン２の雄ネジ杆４を合板型枠２０の挿通孔２１を貫通させ、コーン２と型枠仮設材Ｔで合板型枠２０に間隔保持部材Ａを固定する。すなわち、合板型枠２０の外側には、単管よりなる縦、横端太材３１，３２が縦横に組み付けられ、コーン２の雄ネジ杆４にねじ込み固定されるフォームタイ３０は、縦、横の端太材３１，３２にリブ座金３３を介してナット３４により固定される。これにより、間隔保持部材のＬ型セパレータ１の雄ネジ部１ｃは、コーン２と型枠仮設材Ｔとで合板型枠２０に固定される。複数の間隔保持部材Ａの相互間の縦、横の施行ピッチは、約３００ｍｍである。
【００２６】
図４に示すように、断熱型枠１０と合板型枠２０との間のコンクリート打設空間Ｓに、生コンクリートを打設することにより、建物のコンクリート躯体が成形される。
【００２７】
コンクリート躯体の成形完了後は、一方の断熱型枠１０は、解体することなく、そのまま建物の断熱建材として使用することができ、その際に、それらの平坦な外面には、モルタルなどの湿式外装材、あるいはタイルなどの乾式外装材を積層するのが容易である。また他方の合板型枠２０は、型枠仮設材（支保工）Ｔの解体により、コンクリート躯体から分離して解体される。このとき、間隔保持部材Ａは、Ｌ型セパレータ１を用いていることにより、合板型枠２０のコンクリート躯体からの分離が容易になり、コンクリート躯体のコンクリート欠損の有無の確認が容易となる。
【００２８】
ところで、間隔保持部材Ａを構成するＬ型セパレータ１は、この実施例では、その線径φが６ｍｍであり、すなわち汎用のＬ型セパレータの線径φ６．９５ｍｍよりも細くしたことで、Ｌ型セパレータ１として必要な強度を十分に維持しながら、コンクリート注入時の障害を少なくしてコンクリート欠損を避けることができる。また、熱伝導率の高い金属製Ｌ型セパレータ１の線径φを６ｍｍとしたことにより、コンクリート躯体全体の熱伝導率を低下させ、建物の断熱性を向上させることができる。さらに、Ｌ型セパレータ１は、軽量であることから、その作業性がよく、またその製造コストの低減が可能である。
【００２９】
なお、前記実施例では、Ｌ型セパレータ１の線径φを６ｍｍとしているが、この線径φ６．９ｍｍ未満であればよい。
【００３０】
つぎに、図６を参照して、本発明の第２実施例について説明する。
【００３１】
図６は、間隔保持部材を、型枠に取り付けたときの断面図（前記第１実施例の図５対応図）である。
【００３２】
この第２実施例は、型枠仮設材Ｔの構造が前記第１実施例と相違しており、型枠仮設材Ｔの端太材としてＬ型鋼材３６が使用される。
【００３３】
合板型枠２０の外側には、単管よりなる縦端太材３１の外側に横端太材として軽量なＬ型鋼材３６（単管の約１／２の重量）が組み付けられる。コーン２に固定されるフォームタイ３０は、Ｌ型鋼材３６の通孔３７を貫通して、ナット３４によりＬ型鋼材３６に固定される。Ｌ型セパレータ１は、施行ピッチが３００ｍｍであり、一本あたりの分担荷重が小さく、軽いＬ型鋼材３６により荷重を受けることが可能になり、作業能率を向上させることができる。
【００３４】
以上、本発明の実施例について説明したが、本発明はその実施例に限定されることなく、本発明の範囲内で種々の実施例が可能である。
【００３５】
たとえば、前記実施例では、仮設型枠として合板型枠を用いた場合を説明したが、この合板型枠に代えて合成樹脂型枠、断熱型枠などの他の仮設型枠を使用することができる。
【図面の簡単な説明】
【００３６】
【図１】間隔保持部材の分解斜視図
【図２】間隔保持部材の分解断面図
【図３】間隔保持部材の型枠への組み付け途中の状態を示す斜視図
【図４】間隔保持部材の型枠への組み付完了状態の断面図
【図５】図４の５矢視仮想線囲い部分の拡大図
【図６】間隔保持部材を型枠に取り付けたときの断面図（第２実施例）
【符号の説明】
【００３７】
１・・・・・・・・・・・Ｌ型セパレータ
１ｂ・・・・・・・・・・屈曲部
１ｃ・・・・・・・・・・雄ネジ部
２・・・・・・・・・・・コーン
１０・・・・・・・・・・打込型枠（断熱型枠）
２０・・・・・・・・・・仮設型枠（合板型枠）
３６・・・・・・・・・・Ｌ型鋼材
Ｓ・・・・・・・・・・・コンクリート打設空間
Ｔ・・・・・・・・・・・型枠仮設材
【図１】
2009041327.tif 000003
【図２】
2009041327.tif 000004
【図３】
2009041327.tif 000005
【図４】
2009041327.tif 000006
【図５】
2009041327.tif 000007
【図６】
2009041327.tif 000008